(57)【要約】【課題】録画処理中に緊急放送番組が挿入された場合における録画対象番組の録画漏れを防止する。【解決手段】実施形態によれば、信号処理装置は、検出手段と、録画処理手段と、更新手段とを有する。前記検出手段は、対象番組の録画処理中における緊急放送番組を検出する。前記録画処理手段は、前記緊急放送番組の検出後も前記録画処理を継続する。前記更新手段は、EIT[p/f]テーブル情報に基づいて前記緊急放送番組後の前記対象番組の放送スケジュールを確認し、前記録画処理の終了日時を更新する。【選択図】図２
2013115500.tif 000002
【特許請求の範囲】
【請求項１】
対象番組の録画処理中における緊急放送番組を検出する検出手段と、
前記緊急放送番組の検出後も前記録画処理を継続する録画処理手段と、
EIT[p/f]テーブル情報に基づいて前記緊急放送番組後の前記対象番組の放送スケジュールを確認し、前記録画処理の終了日時を更新する更新手段と、
を有する信号処理装置。
【請求項２】
前記更新手段は、前記EIT[p/f]テーブル情報に前記対象番組のevent_idが記述されている場合、前記録画処理の終了日時を、前記EIT[p/f]テーブル情報に記述された前記対象番組の終了日時に更新する、請求項１記載の信号処理装置。
【請求項３】
前記更新手段が、録画予約時における前記対象番組の終了予定日時が経過するまでに前記EIT[p/f]テーブル情報に前記対象番組のevent_idが記述されていない場合、前記録画処理手段は、前記終了予定日時に前記録画処理を終了する、請求項２記載の信号処理装置。
【請求項４】
前記録画処理終了後、event_idに基づいて、録画コンテンツに含まれる番組を判断する判断手段を有する請求項３記載の信号処理装置。
【請求項５】
前記判断手段は、前記録画コンテンツに含まれる前記対象番組のevent_idに対応する番組の記録長を合計した合計記録長を算出し、前記合計記録長と前記録画予約時における前記対象番組の放送予定時間長とを比較する、請求項４記載の信号処理装置。
【請求項６】
前記録画コンテンツに含まれる番組単位でプレイリストを作成する作成手段を有する、請求項５記載の信号処理装置。
【請求項７】
前記判断手段が前記合計記録長は前記放送予定時間長よりも短いと判断した場合、前記対象番組の再放送の録画予約を設定する予約手段を有する、請求項５記載の信号処理装置。
【請求項８】
対象番組の録画処理中における緊急放送番組を検出し、
前記緊急放送番組の検出後も前記録画処理を継続し、
EIT[p/f]テーブル情報に基づいて前記緊急放送番組後の前記対象番組の放送スケジュールを確認し、前記録画処理の終了日時を更新する、
信号処理方法。
【発明の詳細な説明】
【技術分野】
【０００１】
本実施形態は、番組を録画処理する信号処理装置及び信号処理方法に関する。
【背景技術】
【０００２】
一般に、ユーザは、電子番組表(EPG: Electronic Program Guide)から所望の録画対象番組を選択することで、録画予約する。録画予約を受け付けた装置は、録画対象番組の録画処理中に緊急放送番組が挿入された場合、録画処理を終了する。これは、装置が、録画対象番組が消失したと判断するからである。装置は、録画対象番組とは異なる番組を記録処理する必要はない。ARIB(Association of Radio Industries and Businesses)の取り決め上でも「イベント終了とみなし、録画を終了するのが望ましい」とあるので、装置が録画処理を終了するのは、間違った動作ではない。
【先行技術文献】
【特許文献】
【０００３】
【特許文献１】特開２００６−２３７９５５号公報
【発明の概要】
【発明が解決しようとする課題】
【０００４】
しかしながら、放送局は、ある番組の放送途中に緊急放送番組を挿入した場合、緊急放送番組の放送終了後、その番組を放送する場合がある。このようなケースでは、装置は、緊急放送番組の放送終了後の録画対象番組を録画処理できない。
【０００５】
本発明の目的は、録画処理中に緊急放送番組が挿入された場合における録画対象番組の録画漏れを防止する信号処理装置及び信号処理方法を提供することである。
【課題を解決するための手段】
【０００６】
実施形態によれば、信号処理装置は、検出手段と、録画処理手段と、更新手段とを有する。前記検出手段は、対象番組の録画処理中における緊急放送番組を検出する。前記録画処理手段は、前記緊急放送番組の検出後も前記録画処理を継続する。前記更新手段は、EIT[p/f]テーブル情報に基づいて前記緊急放送番組後の前記対象番組の放送スケジュールを確認し、前記録画処理の終了日時を更新する。
【図面の簡単な説明】
【０００７】
【図１】実施形態に係る映像記録再生装置の概略構成を示すブロック図。
【図２】実施形態に係る緊急放送番組の検出処理の例を示すフローチャート。
【図３】実施形態に係る録画処理の継続判断処理の例を示すフローチャート。
【図４】実施形態に係る録画処理終了後の処理の例を示すフローチャート。
【図５】実施形態に係るプレイリストの作成例を示す図。
【図６】実施形態に係る番組の放送の例を示す図。
【図７】実施形態に係る録画処理の例を示す図。
【発明を実施するための形態】
【０００８】
以下、図面を参照して本実施形態について説明する。図１は、実施形態に係る映像記録再生装置１（信号処理装置）の概略構成を示すブロック図である。なお、本実施形態は、ハードディスクレコーダなどの映像記録再生装置１を例にして説明するが、同様の機能を有するテレビにも適用できる。映像記録再生装置１は、ユーザ操作入力部１０１、信号受光部１０２、表示部１０３、制御モジュール１０４、メモリ１０５、チューナ１０６、信号処理モジュール１０７、ディスクドライブ部１０８、ハードディスクドライブ部１０９、合成処理モジュール１１０、OSD(on screen display)制御モジュール１１１、ネットワーク部１１２を備えている。
【０００９】
ユーザ操作入力部１０１は、映像記録再生装置１に対するユーザ操作の入力を受け付ける。信号受光部１０２は、ユーザ操作によりリモートコントローラ１０２ａから送出される信号を受信する。表示部１０３は、ユーザに対する各種メッセージを表示する。制御モジュール１０４は、映像記録再生装置１の各構成の動作を制御する。制御モジュール１０４は、タイマー１０４１を有する。タイマー１０４１は、日時をカウントする。メモリ１０５は、映像記録再生装置１に関する動作プログラムを保存する。
【００１０】
チューナ１０６は、指定されたチャンネルの放送信号をアンテナ３を介して受信する。チューナ１０６は、受信した放送信号を信号処理モジュール１０７へ出力する。信号処理モジュール１０７は、放送信号に含まれる映像信号及び音声信号をを復号する。その後、信号処理モジュール１０７は、録画処理が指定されている場合には、映像信号及び音声信号を符号化し、ディスクドライブ部１０８又はハードディスクドライブ部１０９へ映像信号及び音声信号を出力する。一方、信号処理モジュール１０７は、再生処理が指定されている場合には、合成処理モジュール１１０へ映像信号及び音声信号を出力する。
【００１１】
ディスクドライブ部１０８は、符号化された映像信号及び音声信号を光ディスク１０８ａへ記録する。ハードディスクドライブ部１０９は、符号化された映像信号及び音声信号をハードディスクへ記録する。ＯＳＤ制御モジュール１１１は、画面に表示するための表示情報を生成し、合成処理モジュール１１０へ出力する。合成処理モジュール１１０は、表示情報を映像信号に合成する。合成処理モジュール１１０は、表示情報を合成した映像信号及び音声信号を映像表示装置２に出力する。ネットワークＩ／Ｆ(Interface) １１２は、映像記録再生装置１をインターネットなどの外部ネットワークまたは宅内の内部ネットワークに接続する。
【００１２】
次に、電子番組表の作成処理、表示制御処理、録画予約処理について説明する。制御モジュール１０４は、チューナ１０６で受信した放送信号からSI(service information)に含まれるEIT(event information table)スケジュール情報を取得し、メモリ１０５に保存する。制御モジュール１０４は、EITスケジュール情報に基づいて、各番組の番組情報を含めた１週間先までの各放送局の番組表を作成する。制御モジュール１０４は、ユーザ操作に基づいて、映像表示装置２に番組表を表示制御する。ユーザは、録画予約する際、リモートコントローラ１０２ａを用いて、電子番組表から所望の対象番組を選択する。制御モジュール１０４は、EITスケジュール情報から対象番組の番組情報（例えばevent_id）及び対象番組のチャンネル、放送日時（開始日時、終了日時、放送時間間隔）などの情報を取得し、録画予約としてメモリ１０５に保存（登録）する。本実施形態では、録画予約時に設定されている対象番組の当初の開始日時を開始予定日時、当初の終了日時を終了予定日時、開始予定日時から終了予定日時までを放送予定時間という。
【００１３】
次に、録画処理中における緊急放送番組の検出処理について説明する。図２は、この検出処理の一例を示すフローチャートである。はじめに、制御モジュール１０４は、対象番組の開始予定日時になると、対象番組を放送する放送局のチャンネルの放送信号を受信するようにチューナ１０６を設定する。そして、制御モジュール１０４は、録画予約に基づく対象番組の録画処理を実行する（Ｂｌｏｃｋ１００１）。制御モジュール１０４は、録画予約に基づく録画コンテンツをハードディスクドライブ部１０９のハードディスクに保存する。
【００１４】
制御モジュール１０４は、録画予約に基づく録画処理中、チューナ１０６で受信している放送信号からSIに含まれるEIT[p(present)/f(following)]情報を取得（解析して抽出）する。そして、制御モジュール１０４は、EIT[p/f]情報のpresentに対象番組のevent_idが存在するか否かを判断（監視）する（Ｂｌｏｃｋ１００２）。ここで、EIT[p/f]情報は、チューナ１０６で現在受信している放送信号に対応するチャンネルで放送中の番組の番組情報（つまり、presentに記述されている情報）及び次に放送予定の番組の番組情報（つまり、futureに記述されている情報）である。つまり、Ｂｌｏｃｋ１００２では、制御モジュール１０４は、録画予約として保存している対象番組のevent_idと、EIT[p/f]情報のpresentに記述されているevent_idが一致しているか否かを判断する。
【００１５】
制御モジュール１０４は、EIT[p/f]情報のpresentに対象番組のevent_idが存在すると判断した場合（Ｂｌｏｃｋ１００２、Ｙｅｓ）、Ｂｌｏｃｋ１００１に戻って録画予約に基づく録画処理を継続する。制御モジュール１０４は、EIT[p/f]情報のpresentに対象番組のevent_idが存在しないと判断した場合（Ｂｌｏｃｋ１００２、Ｎｏ）、現在放送中の番組が緊急放送番組か否かを判断する（Ｂｌｏｃｋ１００３）。つまり、Ｂｌｏｃｋ１００３では、制御モジュール１０４は、放送信号から緊急放送の情報（例えば、緊急放送記述子など）を取得する。そして、制御モジュール１０４（検出手段１０４ａ）は、緊急放送の情報が有ることに基づいて、対象番組の録画処理中における緊急放送番組を検出する。
【００１６】
制御モジュール１０４（録画処理手段１０４ｂ）は、現在放送中の番組が緊急放送番組と判断した場合（Ｂｌｏｃｋ１００３、Ｙｅｓ）、録画予約に基づく録画処理を継続する（Ｂｌｏｃｋ１００４）。つまり、制御モジュール１０４（録画処理手段１０４ｂ）は、録画予約に基づく録画処理中に対象番組のevent_idがEIT[p/f]情報から消失し、かつ、現在放送中の番組が緊急放送番組である場合、緊急放送番組の放送終了後に対象番組が放送再開される可能性を考慮して、緊急放送番組の検出後も録画処理を継続する。制御モジュール１０４は、現在放送中の番組が緊急放送番組でないと判断した場合（Ｂｌｏｃｋ１００３、Ｎｏ）、録画予約に基づく録画処理を終了（停止）する（Ｂｌｏｃｋ１００５）。つまり、Ｂｌｏｃｋ１００５では、制御モジュール１０４は、録画予約に基づく録画処理中に対象番組のevent_idがEIT[p/f]情報から消失し、かつ、現在放送中の番組が緊急放送番組でない場合、対象番組の放送内容に欠けが生じることなく録画処理を完了したと判断するため、録画処理を終了する。
【００１７】
次に、録画処理の継続判断処理について説明する。図３は、この継続判断処理の一例を示すフローチャートである。制御モジュール１０４は、Ｂｌｏｃｋ１００４で録画予約に基づく録画処理を継続した場合に、図３に示す継続判断処理を実行する。制御モジュール１０４は、録画予約に基づく録画処理を継続する（Ｂｌｏｃｋ２００１）。制御モジュール１０４は、録画予約に基づく録画処理中、EIT[p/f]情報に対象番組のevent_idが存在するか否かを判断する（Ｂｌｏｃｋ２００２）。EIT[p/f]情報は、番組の放送予定に変更が生じた場合、適宜更新される。そのため、EIT[p/f]情報は、制御モジュール１０４が録画予約に基づく録画処理の継続中（つまり、緊急放送番組の録画処理中）に、放送再開される対象番組の番組情報が再記述される可能性がある。したがって、Ｂｌｏｃｋ２００２では、制御モジュール１０４は、対象番組の放送予定時間内に緊急放送番組が割り込んだ場合であっても、緊急放送番組の放送終了後に対象番組が放送再開されることを見越して録画処理を継続する。そして、制御モジュール１０４は、EIT[p/f]情報に対象番組のevent_idが記述されているか監視することで、対象番組の放送スケジュールを確認する。つまり、制御モジュール１０４（更新手段１０４ｃ）は、EIT[p/f]情報に基づいて、緊急放送番組の放送終了後における対象番組の放送スケジュールを確認する。
【００１８】
制御モジュール１０４（更新手段１０４ｃ）は、EIT[p/f]情報に対象番組のevent_idが存在する（記述されている）と判断した場合（Ｂｌｏｃｋ２００２、Ｙｅｓ）、録画予約に基づく録画処理の終了日時を、終了予定日時から、EIT[p/f]情報に記述された放送再開後の対象番組の終了日時に合わせるように更新する（Ｂｌｏｃｋ２００３）。そして、制御モジュール１０４は、更新後の終了日時まで録画予約に基づく録画処理を継続する（Ｂｌｏｃｋ２００４）。したがって、制御モジュール１０４は、録画予約に基づく録画処理中に緊急放送番組の割り込みが発生したとしても、放送再開した対象番組を最後まで録画処理することができる。
【００１９】
制御モジュール１０４は、EIT[p/f]情報に対象番組のevent_idが存在しない（記述されていない）と判断した場合（Ｂｌｏｃｋ２００２、Ｎｏ）、現在日時が終了予定日時を経過したか否かを判断する（Ｂｌｏｃｋ２００５）。制御モジュール１０４は、現在日時が終了予定日時を経過していないと判断した場合（Ｂｌｏｃｋ２００５、Ｎｏ）、Ｂｌｏｃｋ２００１に戻って録画予約に基づく録画処理を継続する。制御モジュール１０４は、現在日時が終了予定日時を経過したと判断した場合（Ｂｌｏｃｋ２００５、Ｙｅｓ）、録画予約に基づく録画処理を終了する（Ｂｌｏｃｋ２００６）。つまり、Ｂｌｏｃｋ２００６では、制御モジュール１０４（更新手段１０４ｃ）が、終了予定日時を経過するまでにEIT[p/f]テーブル情報に対象番組のevent_idが存在しないと判断した場合、制御モジュール１０４（録画処理手段１０４ｂ）は、終了予定日時に録画処理を終了する、これは、制御モジュール１０４が緊急放送番組の放送終了後に対象番組が放送再開されないと判断するためである。
【００２０】
次に、録画処理終了後の処理について説明する。図４は、この録画処理終了後の処理の一例を示すフローチャートである。制御モジュール１０４は、Ｂｌｏｃｋ２００４における録画予約に基づく録画処理を更新後の終了日時まで継続した後、録画処理を終了する（Ｂｌｏｃｋ３００１）。なお、制御モジュール１０４によるＢｌｏｃｋ３００２以降の処理は、Ｂｌｏｃｋ１００５、Ｂｌｏｃｋ２００６で録画処理を終了した場合にも適用できる。なお、制御モジュール１０４は、録画処理終了後、録画処理に基づく録画コンテンツをハードディスクドライブ部１０９のハードディスクに保存する。
【００２１】
制御モジュール１０４は、event_idに基づいて、録画コンテンツの録画タイトルに複数の（異なる）番組が存在するか否か判断する（Ｂｌｏｃｋ３００２）。例えば、録画コンテンツは、対象番組と緊急放送番組で構成されている場合、対象番組のevent_idと緊急放送番組のevent_idを含んでいる。なお、event_idは、番組毎に異なる情報である。event_idは、同番組であっても、通常放送と再放送で異なる。つまり、Ｂｌｏｃｋ３００２では、制御モジュール１０４（判断手段１０４ｄ）は、event_idに基づいて、録画コンテンツに含まれる番組を判断する。なお、Ｂｌｏｃｋ３００２では、制御モジュール１０４は、録画コンテンツの録画タイトルに同一番組（本編）が複数分割して存在するか否か判断するようにしてもよい。
【００２２】
制御モジュール１０４は、録画タイトルに複数の番組が存在しないと判断した場合（Ｂｌｏｃｋ３００２、Ｎｏ）、処理を終了する。制御モジュール１０４（作成手段１０４ｅ）は、録画タイトルに複数の番組が存在するか否か判断した場合（Ｂｌｏｃｋ３００２、Ｙｅｓ）、録画タイトル内に含まれる番組単位（event_id毎）でプレイリストを作成する（Ｂｌｏｃｋ３００３）。そして、制御モジュール１０４は、番組単位で作成したプレイリストをハードディスクドライブ部１０９のハードディスクに保存する。ここで、図５は、プレイリストの作成例を示す図である。図５の上段は、録画コンテンツを示している。録画コンテンツは、一例として、対象番組Ａ、緊急放送番組、対象番組Ａの順で構成されているとする。緊急放送番組開始前の対象番組Ａのevent_idと緊急放送番組終了後の対象番組Ａのevent_idは、同じである。したがって、制御モジュール１０４は、図５の下段に示すように、録画コンテンツから、緊急放送番組の割り込み前の対象番組Ａと緊急放送番組終了後に放送された対象番組Ａを結合させた第１のプレイリストと、緊急放送番組の第２のプレイリストを別個に作成する。
【００２３】
次に、制御モジュール１０４は、プレイリストから対象番組の合計記録長（時間）を算出する（Ｂｌｏｃｋ３００４）。Ｂｌｏｃｋ３００４では、制御モジュール１０４は、図５に示すように対象番組が複数に分かれている場合、複数の対象番組を結合したプレイリストの記録長を合計記録長として算出する。図５に示す例では、制御モジュール１０４は、緊急放送開始前の番組対象番組Ａの記録長と、緊急放送番組終了後の対象番組Ａの記録長を合計して、対象番組Ａの合計記録長を算出する。制御モジュール１０４は、合計記録長が対象番組の放送予定時間長よりも短いか否かを判断する（Ｂｌｏｃｋ３００５）。つまり、Ｂｌｏｃｋ３００５では、制御モジュール１０４（判断手段１０４ｄ）は、録画コンテンツに含まれる対象番組のevent_idに対応する番組の記録長を合計した合計記録長を算出し、合計記録長と放送予定時間長とを比較する。
【００２４】
制御モジュール１０４は、合計記録長が放送予定時間長よりも短くないと判断した場合（Ｂｌｏｃｋ３００５、Ｎｏ）、処理を終了する。つまり、制御モジュール１０４は、合計記録長が放送予定時間長と等しい、または、それ以上と判断した場合、緊急放送番組終了後に放送された対象番組が少なくとも緊急放送番組の割り込みにより中断した続きから最後まで放送されたとみなす。そして、制御モジュール１０４は、対象番組の放送内容（本編（ＣＭ含む））に欠けが生じることなく録画処理を完了したと判断する。そして、制御モジュール１０４は、対象番組のプレイリストと緊急放送番組のプレイリストを別個にハードディスクドライブ部１０９のハードディスクに保存する。
【００２５】
制御モジュール１０４は、合計記録長が放送予定時間長よりも短いと判断した場合（Ｂｌｏｃｋ３００５、Ｙｅｓ）、対象番組の再放送を検索する（Ｂｌｏｃｋ３００６）。つまり、Ｂｌｏｃｋ３００６では、制御モジュール１０４は、録画予約に基づく録画処理中の緊急放送番組の割り込みにより対象番組の放送内容に欠けが生じた（言い換えると、対象番組の放送内容の一部がカットされた）と判断する。そして、制御モジュール１０４は、同TS(Transport Stream)内での再放送の可能性を考慮し、対象番組の再放送を録画するために再放送検索機能を起動する。例えば、制御モジュール１０４は、対象番組の番組名でEITスケジュール情報から再放送を検索する。制御モジュール１０４（予約手段１０４ｆ）は、対象番組の再放送を検索できた場合、EITスケジュール情報から再放送の各種情報（例えば、再放送用の新たなevent_id）を取得し、対象番組の再放送の新たな録画予約を設定し、メモリ１０５に保存する。
【００２６】
なお、制御モジュール１０４は、録画予約に基づく録画コンテンツが本編以外も含む場合または本編がカットされている場合は、これら情報（緊急放送番組混在を示すアイコン、本編カットを示すアイコン、再放送録画予約済（再録画処理待ち）を示すアイコンなど）を映像表示装置２に表示制御するようにしてもよい。また、制御モジュール１０４は、録画コンテンツにこれらの情報を付加し、録画コンテンツの再生処理時に映像表示装置２に表示制御するようにしてもよい。
【００２７】
図６は、想定され得る対象番組Ａの放送の例を示す図である。（ａ）は、対象番組Ａの当初の放送予定時間の例を示している。（ｂ）は、対象番組Ａの放送予定時間内に緊急放送番組が割り込み、放送予定時間内であって緊急放送番組終了後に対象番組Ａが放送再開し、終了予定日時に終了する例を示している。（ｂ）の場合、対象番組Ａは、緊急放送番組の放送期間分だけ放送内容が欠ける。（ｃ）は、対象番組Ａの放送予定時間内に緊急放送番組が割り込み、緊急放送番組終了後に対象番組Ａが放送再開することなく、放送予定時間内に次の番組Ｂの放送が開始する例を示している。（ｃ）の場合、対象番組Ａは、緊急放送番組の放送開始日時以降、終了予定日時までの期間分だけ放送内容が欠ける。
【００２８】
（ｄ）は、対象番組Ａの放送予定時間内に緊急放送番組が割り込み、放送予定時間内であって緊急放送番組終了後に対象番組Ａが放送再開し、終了予定日時を越えて終了する例を示している。（ｄ）の場合、対象番組Ａの次の番組Ｂは、順延となる。なお、緊急放送番組終了後に放送再開する対象番組Ａの放送内容は、緊急放送番組の割り込みにより中断した続きから最後までであってもよい。また、緊急放送番組の放送終了後に放送再開する対象番組Ａの放送内容は、緊急放送番組の割り込み前の対象番組Ａの放送内容を含む最初から最後までであってもよい。（ｄ）の場合、対象番組Ａは、緊急放送番組の前後を結合すると、放送内容が欠けることはない。
【００２９】
（ｅ）は、対象番組Ａの放送予定時間内に緊急放送番組が割り込み、放送予定時間外であって緊急放送番組終了後に対象番組Ａが放送再開し、終了予定日時を越えて終了する例を示している。（ｅ）の場合、対象番組Ａの次の番組Ｂは、順延となる。なお、緊急放送番組終了後に放送再開する対象番組Ａの放送内容は、（ｄ）の場合と同様であってもよい。（ｅ）の場合、対象番組Ａは、緊急放送番組の前後を結合すると、放送内容が欠けることはない。（ｆ）は、対象番組Ａの放送予定時間内に緊急放送番組が割り込み、放送予定時間外であって緊急放送番組終了後に対象番組Ａが放送再開することなく、次の番組Ｂの放送が開始する例を示している。（ｆ）の場合、対象番組Ａは、緊急放送番組の放送開始日時以降、終了予定日時までの期間分だけ放送内容が欠ける。
【００３０】
本実施形態は、図６の（ａ）〜（ｆ）に示す対象番組Ａの放送例に適用できるが、これらの例に限定されるものではない。図７は、録画時間の例を示す図である。図７の（ａ）〜（ｆ）それぞれは、図６の（ａ）〜（ｆ）に示す放送の例に対する実際の録画時間を示している。図６の（ａ）に示す放送の例では、図７の（ａ）に示すように、録画時間は、対象番組Ａの放送予定時間である。図６の（ｂ）に示す放送の例では、図７の（ｂ）に示すように、録画時間は、対象番組Ａの放送予定時間である。図６の（ｃ）に示す放送の例では、図７の（ｃ）に示すように、録画時間は、対象番組Ａの開始予定日時から緊急放送番組の放送終了日時までである。図６の（ｄ）に示す放送の例では、図７の（ｄ）に示すように、録画時間は、対象番組Ａ開始予定日時から、緊急放送番組終了後に放送再開した対象番組Ａの放送終了日時までである。図６の（ｅ）に示す放送の例では、図７の（ｅ）に示すように、録画時間は、対象番組Ａの開始予定日時から、緊急放送番組終了後に放送再開した対象番組Ａの放送終了日時までである。図６の（ｆ）に示す放送の例では、図７の（ｆ）に示すように、録画時間は、対象番組Ａの開始予定日時から緊急放送番組の放送終了日時までである。
【００３１】
本実施形態によれば、緊急放送番組の挿入により対象番組が途中カットされた放送の録画にも容易に対応可能となる。さらに、本実施形態によれば、緊急放送番組の放送終了後に放送再開する対象番組の録画を逃す可能性を低減でき、ユーザの利便性を向上させる。
【００３２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
１…映像記録再生装置、１０４…制御モジュール、１０４ａ…検出手段、１０４ｂ…
録画処理手段、１０４ｃ…更新手段、１０４ｄ…判断手段、１０４ｅ…作成手段、１０４ｆ…予約手段、１０６…チューナ、１０９…ハードディスクドライブ部。
【図１】
2013115500.tif 000003
【図２】
2013115500.tif 000004
【図３】
2013115500.tif 000005
【図４】
2013115500.tif 000006
【図５】
2013115500.tif 000007
【図６】
2013115500.tif 000008
【図７】
2013115500.tif 000009